(57)【要約】【課題】  デジタル画像に付加された位置情報をもとに画像の絞り込み検索を行うことができるダイレクトプリンタを提供すること。さらに、位置情報に対応した撮影場所情報を登録することができ、より使いやすい画像の絞り込み検索を行うことができるダイレクトプリンタを提供すること。【解決手段】  カード内の画像データのＥｘｉｆ情報よりＧＰＳ情報を取得し、その情報を元に画像の検索、絞込み、分類等を行う。【選択図】  図１
2006142505.tif 000002
【特許請求の範囲】
【請求項１】
着脱可能な記憶媒体からデジタル画像を読み出してプリントを行うダイレクトプリンタにおいて、
着脱可能な記憶媒体からデジタル画像を読み出す読み出し手段と、
読み出したデジタル画像に付加された位置情報から撮影場所情報を取得する取得手段と、
取得したデジタル画像の撮影場所情報をもとに記憶媒体中のデジタル画像の絞り込み検索を行う検索手段と、
絞り込み検索の検索結果を表示する表示手段と、
を備えることを特徴とするダイレクトプリンタ。
【請求項２】
前記ダイレクトプリンタは、さらに、
ユーザが撮影場所情報を入力できる入力手段と、
デジタル画像に付加された位置情報と入力した撮影場所登録情報を関連付けて記憶する記憶手段と、
取得したデジタル画像の撮影場所情報と記憶された撮影場所登録情報をもとに記憶媒体中のデジタル画像の絞り込み検索を行う検索手段と、
を備えることを特徴とする請求項１のダイレクトプリンタ。
【発明の詳細な説明】
【技術分野】
【０００１】
本発明は、デジタル画像が記録されたメモリカードから、任意のデジタル画像を読み出し、プリントを行うダイレクトプリンタに関するものである。
【背景技術】
【０００２】
従来、デジタルカメラ等で撮影したデジタル画像をプリンタでプリントするためには、ＰＣ上のハードディスクにデジタル画像を保存後、ＰＣ上のソフトウエアを用いてそれを閲覧、編集、プリントする方法が一般的であった。
【０００３】
また昨今のプリンタでは、デジタルカメラ等で使用するメモリカードを挿入するためのカードスロットと、ユーザからの印刷設定の指示を受け取るための操作パネルとを備え、ＰＣと接続することなくプリンタ単体でメモリカードのデジタル画像をプリントする機能（いわゆるダイレクトプリント機能）を有するものがある。
【０００４】
このようなダイレクトプリント機能を有するプリンタ（ダイレクトプリンタ）は、ＰＣを使うことなく手軽にデジタルカメラ等の画像データを印刷できる反面、特に多数枚の画像データが入ったメモリカードを使用した場合、印刷したい画像を探すのが非常に大変であった。
【０００５】
そこで、上記問題を解決するために、デジタル画像に付加された日付情報から画像を絞り込み検索するダイレクトプリンタが存在している。しかしながら、デジタル画像に付加された日付情報から画像を絞り込み検索する方法だけでは、便利であるが十分とはいえない。（特許文献１、２参照）
【特許文献１】特開２００４−５１２１４号公報
【特許文献２】特開２００４−７４４６８号公報
【発明の開示】
【発明が解決しようとする課題】
【０００６】
デジタルカメラ等で撮影されたデジタル画像は、デジタルカメラ用の画像ファイルの規格であるＥｘｉｆフォーマットで保存されており、ＧＰＳ（全地球測位システム）装置を内蔵したデジタルカメラで撮影すれば、付加情報として、緯度・経度などの位置情報を記録することができる。
【０００７】
本発明は、上記の問題点を解決するためになされたもので、本発明の目的は、デジタル画像に付加された位置情報をもとに画像の絞り込み検索を行うことができるダイレクトプリンタを提供することである。さらに、位置情報に対応した撮影場所情報を登録することができ、より使いやすい画像の絞り込み検索を行うことができるダイレクトプリンタを提供することである。
【課題を解決するための手段】
【０００８】
本発明は、デジタル画像が記録されたメモリカードから、任意のデジタル画像を読み出し、プリントを行うダイレクトプリンタに関するものであり、メモリカードからデジタル画像を読み出す読み出し手段と、読み出したデジタル画像に付加された位置情報から撮影場所情報を取得する取得手段と、取得したデジタル画像の撮影場所情報をもとに記憶媒体中のデジタル画像の絞り込み検索を行う検索手段と、絞り込み検索の検索結果を表示する表示手段とを備えることを特徴とするダイレクトプリンタである。
【０００９】
さらに、ユーザが撮影場所情報を入力できる入力手段と、デジタル画像に付加された位置情報と入力した撮影場所登録情報を関連付けて記憶する記憶手段と、取得したデジタル画像の撮影場所情報と記憶された撮影場所登録情報をもとに記憶媒体中のデジタル画像の絞り込み検索を行う検索手段とを備えることを特徴とするダイレクトプリンタである。
【発明の効果】
【００１０】
以上説明したように、本発明のダイレクトプリンタによれば、デジタル画像が記録されたメモリカードから、任意のデジタル画像を読み出し、プリントを行うダイレクトプリントにおいて、読み出したデジタル画像に付加された位置情報から撮影場所情報を取得し、撮影場所情報からメモリカード内の画像データを分類・絞り込み検索することで、ユーザはメモリカード内にある画像データの内容を容易に把握し、絞り込みを行うことが可能となる。
【００１１】
また、ユーザが撮影場所情報のデータを入力できるようにし、デジタル画像に付加された位置情報と入力した撮影場所情報のテキストデータを関連付けて記憶することにより、より分かりやすい画像データの分類・絞り込み検索が可能となる。
【発明を実施するための最良の形態】
【００１２】
図１は、本発明の一実施形態を示すダイレクトプリンタの一例を示す図であり、デジタルカメラ等に装着されるメモリカードに記憶された所定の規格の画像データを読み出して直接印刷するダイレクトプリント機能を備えたインクジェットプリンタの場合に対応する。
【００１３】
図１に示すプリンタ１００において、１０１はメモリカードスロットで、図示しないデジタルカメラで撮影された画像が記憶されたコンパクトフラッシュ（登録商標）等のメモリカードが挿入される。１０２は操作パネルで、各種操作キーが配設され、液晶パネル１０３に表示される画像や操作画面、印刷設定画面に従って各種操作キーを指示することにより、画像選択、画像操作、印刷設定、印刷指示を行うことが可能に構成されている。
【００１４】
上記プリンタ１００はデジタルカメラで撮影した画像データの記録されたメモリカードをメモリカードスロット１０１に挿入した場合に、操作パネル１０２で印刷設定を行い、メモリカード上の画像データを印刷することが可能であり、ＰＣを用いずともプリンタ単体で画像データを指定した用紙、レイアウト、品位等で印刷することができる。なお、以降プリンタ単体での印刷処理をダイレクトプリントと呼ぶ場合がある。
【００１５】
以下、本実施形態のダイレクトプリンタの詳細について説明する。
【００１６】
図２は、本発明の一実施形態を示すダイレクトプリンタにおける構成を説明するブロック図であり、プリンタ２００の基本的な構成例に対応する。
【００１７】
図２において、プリンタ２００は、データや命令を演算、判断、制御する中央演算処理装置（ＣＰＵ）２０１と、ＰＣとの通信を行うための通信インタフェース２０２と、各種データの一時記憶領域およびプリントバッファとして用いるためのＲＡＭ２０３と、オペレーティングシステムやその他の制御プログラムの読み出し専用記憶領域であるＲＯＭ２０４と、プリンタエンジン情報や後述するユーザが入力する撮影場所登録情報等の記憶領域として用いる不揮発性メモリ（ＥＥＰＲＯＭ）２０５と、ＬＦモータ、キャリッジモータ、プリントヘッドや各種センサを含むプリンタエンジン２０６と、電源投入、画像表示、画像指定、各種印刷設定、後述する絞り込み検索、撮影場所情報の入力等に用いる各種ボタンやＬＥＤ、液晶パネルから構成される操作パネル２０８および操作パネルコントローラ２０７と、メモリカードから画像データを読み出すためのメモリカードコントローラ２０９と、画像処理用ＡＳＩＣ等から構成される画像処理コントローラ２１０と、位置情報（緯度・経度）から地名やランドマーク名などを検索する位置情報データベース２１１とから構成される。なお、２１２はシステムバスである。
【００１８】
図３は、図２に示したプリンタにおけるデータ処理構成を示すブロック図である。図３において、プリンタ３００は一般的なパーソナルコンピュータからの印刷機能およびプリンタ単独でメモリカード上の画像データを印刷するダイレクトプリント機能を備えるものである。
【００１９】
通信インタフェース部３０１は、ＵＳＢ等の外部インタフェースを制御し、パーソナルコンピュータ等の外部装置とのデータのやり取りを行う。
【００２０】
通信インタフェース部３０１において、外部装置より印刷データを受信した場合は、プリンタコントローラ３０２において、受信した印刷コマンドに従って印刷データを生成し、プリンタエンジン部３０３において印刷処理を実行する。また、プリンタエンジン部３０３は、ダイレクトプリント時にはダイレクトプリンタコントローラ部３０４で生成した印刷データを用いて印刷処理を実行する。
【００２１】
また、プリンタ３００は、ユーザインタフェースとして各種ボタンとＬＥＤ、液晶パネルからなる操作パネル２０８を備え、操作パネルコントローラ部３０６において、各種ボタンやＬＥＤ、液晶パネルを制御する。
【００２２】
メモリカードコントローラ部３０５は、メモリカードスロットに挿入されたメモリカードから画像データの読み出しを行う。また、画像データに付加された位置情報の読み出しも行う。
【００２３】
位置情報検索部３０７は、画像データに位置情報が付加されている場合、メモリカードコントローラ部３０５で読み出された位置情報を元に位置情報データベース３０８より地名やランドマーク名などの撮影場所情報を取得する。また、撮影場所情報登録部３０９より、読み出された位置情報に対応した撮影場所登録情報が存在するか検索し、存在する場合は撮影場所登録情報を取得する。取得した撮影場所情報をもとにメモリカード内の画像の分類を行い、絞り込み検索を行う。
【００２４】
撮影場所情報登録部３０９は、操作パネルコントローラ部３０６において入力された撮影場所を、画像データの位置情報と関連付けて、不揮発性メモリ（ＥＥＰＲＯＭ）２０５に撮影場所登録情報として記憶させる。
【００２５】
ダイレクトプリントコントローラ部３０４は、操作パネル２０８で印刷開始ボタンが指示されたとき、位置情報検索部３０７により絞り込み検索されている場合、メモリカードコントローラ部３０５から選択された画像データを取得して印刷データを生成する。
【００２６】
本実施形態の画像データは、例えばデジタルカメラで撮影したデジタル画像データであり、デジタルカメラ用の画像ファイルの規格であるＥｘｉｆフォーマットで保存されており、ＧＰＳ（全地球測位システム）の緯度経度情報などのためのディレクトリ・タグが定義されている。ＧＰＳ装置を内蔵したデジタルカメラで撮影すれば、緯度・経度などの位置情報を記録することができる。
【００２７】
なお、本実施形態のダイレクトプリンタでは、位置情報データベース３０８は、プリンタ本体に内蔵されている構成になっているが、例えば、インターネット上のＷＷＷサーバーとして、プリンタの外部に持つ構成にすることも可能であり、その場合は、さらに、外部データベースとのインタフェース部（ネットワーク通信部）を備えればよい。
【００２８】
図４は、図１に示したプリンタ２００の操作パネル２０２の詳細構成を説明する平面図である。
【００２９】
図４に示す操作パネル４００において、４０１は電源キーで、プリンタの電源オン・オフする際に指示される。
【００３０】
４０２は選択決定ボタンで、液晶パネル４０６に表示される各種項目を選択・決定する際や、液晶パネル４０６に表示される画像データを閲覧する際に指示される。また、後述する絞り込み結果の選択時や絞り込み条件変更時、撮影場所情報のデータを入力する際にも指示される。
【００３１】
４０３は印刷開始ボタンで、ダイレクトプリントの開始の際に指示される。印刷開始ボタン４０３が指示されると、絞り込み検索で選択された画像データを、メニューボタン４０７や用紙・設定ボタン４０８で指示された印刷モードや用紙・印刷設定で印刷を行う。
【００３２】
４０４は印刷中止ボタンで、ダイレクトプリントのプリント処理を中止する際に指示される。
【００３３】
４０５は拡大・縮小ボタンで、液晶パネル４０６に表示される画像の拡大表示を行う際に指示される。
【００３４】
４０６は液晶パネルで、該液晶パネル４０６に表示される画像や設定項目をユーザが確認しながら、選択決定ボタン４０２を操作することにより、表示画像の閲覧や、印刷画像の選択や、印刷モード等の設定、絞り込み結果の選択、撮影場所情報の入力ができるように構成されている。
【００３５】
４０７はメニューボタンで、印刷モード、例えば全画像印刷モード、画像指定印刷モード、インデックス印刷モード、レイアウト印刷モードの選択を行う選択画面を液晶パネル４０６に表示する際に指示される。メニューボタン４０７の指示によって表示された印刷モードの選択画面において、選択決定ボタン４０２を指示することにより印刷モードの選択を行うことが可能な構成になっている。図５（ａ）は、上記印刷モードの選択を行う際に液晶パネル４０６に表示される選択画面の一例を示す図である。
【００３６】
４０８は用紙・設定ボタンで、用紙サイズ、用紙種類、印刷品位、日付位置等の各種の項目の選択を行う選択画面を液晶パネル４０６に表示する際に指示される。用紙設定ボタン４０８の指示によって表示された用紙等の各種設定の選択画面において、選択決定ボタン４０２を指示することにより各種設定の選択を行うことが可能な構成になっている。図５（ｂ）は、用紙等の各種設定の選択を行う際に液晶パネル４０６に表示される選択画面の一つである用紙サイズの選択画面の一例を示す図である。
【００３７】
４０９は撮影場所情報ボタンで、画像データに付加された位置情報に対応した撮影場所情報（文字列）を表示・登録する際のモードに移行する際に指示される。撮影場所情報ボタン４０９の指示によって表示された文字入力画面において、選択決定ボタン４０２を指示することにより撮影場所情報（文字列）の入力を行うことが可能な構成になっている。
【００３８】
４１０は絞り込み検索ボタンで、画像データに付加された位置情報を利用して、メモリカード内の画像データの絞り込み検索をする際に指示される。
【００３９】
以下、本実施形態のプリンタにおける画像データの絞り込み検索に関する各種機能について説明する。
【００４０】
〔１．撮影場所情報の表示機能〕
本実施形態のプリンタにおける撮影場所情報の表示機能について説明する。図６は、撮影場所情報の表示機能、および、後述する２．撮影場所情報の登録機能の処理フローを示す図である。
【００４１】
液晶パネル４０６および選択決定ボタン４０２により、撮影場所情報を表示したい画像を選択し、撮影場所情報ボタン４０９を指示する。メモリカードコントローラ部３０５は、画像データからＥｘｉｆフォーマットのＧＰＳディレクトリ・タグより位置情報を読み出す（Ｓ６０１）。位置情報が存在すれば、例えば、
ＧＰＳＬａｔｉｔｕｄｅＲｅｆ：Ｎ
ＧＰＳＬａｔｉｔｕｄｅ：３５／１，３３／１，５０００／１００
ＧＰＳＬｏｎｇｉｔｕｄｅＲｅｆ：Ｅ
ＧＰＳＬｏｎｇｉｔｕｄｅ：１３９／１，４１／１，７００／１００
のような緯度・経度情報を読み出すことができる。
【００４２】
位置情報検索部３０８は、読み出した緯度・経度情報を用い、位置情報データベース３０９より地名やランドマーク名などの撮影場所情報を取得する（Ｓ６０２）。上記の緯度・経度情報の場合は「東京都ＡＡ区ＢＢ３丁目」の撮影場所情報が取得できる。
【００４３】
位置情報検索部３０８は、取得した撮影場所情報を液晶パネル４０６に表示する（Ｓ６０３）。上記例の場合は、図８（ａ）のように「東京都ＡＡ区ＢＢ３丁目」の撮影場所情報が表示される。
【００４４】
また、位置情報検索部３０８は、撮影場所情報登録部３１０も検索し（Ｓ６０２）、画像データの緯度・経度情報が撮影場所情報登録部３１０に登録されている緯度・経度情報の近傍にあたる場合、緯度・経度情報に対応付けて登録されている撮影場所情報も併せて表示する（Ｓ６０３）。例えば、上記緯度・経度情報に対し「会社」という撮影場所が登録されている場合、図８（ｂ）のように「東京都ＡＡ区ＢＢ３丁目」「会社」の２つの撮影場所情報が表示される。
【００４５】
撮影場所情報表示状態において、選択決定ボタン４０２の決定ボタンを指示することで、選択画像の表示画面に戻る（Ｓ６０５）。また、再度、撮影場所情報ボタン４０９を指示すると、撮影場所入力モードに移行する（Ｓ６０６）。（詳細は〔２．撮影場所情報の登録機能〕で説明）
また、画像データに位置情報が存在しない場合、液晶パネル４０６に「この画像にはＧＰＳ位置情報が存在しません」のメッセージを表示し（Ｓ６０４）、選択画像の表示画面に戻る。
【００４６】
〔２．撮影場所情報の登録機能〕
上記１．の撮影場所情報表示状態（図８（ａ））において、撮影場所情報ボタン４０９を指示すると、撮影場所入力モードに移行し（Ｓ６０７）、文字入力画面が液晶パネル４０６に表示される。
【００４７】
この画面において、選択決定ボタン４０２の上下左右・決定ボタンやその他のボタンを用い、任意の撮影場所情報（例えば、「会社」）を入力する。
【００４８】
再度、撮影場所情報ボタン４０９を指示する（Ｓ６０８）と、撮影場所情報登録部３１０は、入力した撮影場所情報を画像データの緯度・経度情報とともに不揮発性メモリ（ＥＥＰＲＯＭ）２０５に登録する（Ｓ６０９）。
【００４９】
上記１．の緯度・経度情報の場合は、図９の１行目のように、
Ｅ，１３９，４１，０７００，Ｎ，３５，３３，５０００，”会社”
と登録される。
【００５０】
以降に、この画像データや不揮発性メモリ（ＥＥＰＲＯＭ）２０５に登録されている緯度・経度情報の近傍にあたる位置情報を持つ画像データの撮影場所表示や絞り込み検索する場合は、位置情報データベース３０９より取得した撮影場所情報とともに、不揮発性メモリ（ＥＥＰＲＯＭ）２０５に登録されている撮影場所登録情報も併せて表示や絞り込み条件への使用を行う。
【００５１】
〔３．撮影場所情報を利用した絞り込み検索機能〕
本実施形態のプリンタにおける撮影場所情報を利用した絞り込み検索機能について説明する。図７は、撮影場所情報を利用した絞り込み検索機能の処理フローを示す図である。
【００５２】
絞り込み検索ボタン４１０を指示すると、メモリカードコントローラ部３０５は、メモリカード内の全ての画像データについてＥｘｉｆフォーマットのＧＰＳディレクトリ・タグより緯度・経度情報を読み出す（Ｓ７０１）。
【００５３】
位置情報検索部３０８は、メモリカード内の全ての画像データについて、読み出した緯度・経度情報を用い、位置情報データベース３０９より地名やランドマーク名などの撮影場所情報を取得する（Ｓ７０２）。上記１．撮影場所情報の表示機能で用いた緯度・経度情報を持つ画像データの場合は「東京都ＡＡ区ＢＢ３丁目」の撮影場所情報が取得される。
【００５４】
また、位置情報検索部３０８は、撮影場所情報登録部３１０も検索し、画像データの緯度・経度情報が撮影場所情報登録部３１０に登録されている緯度・経度情報の近傍にあたる場合、緯度・経度情報に対応付けて登録されている撮影場所登録情報も取得する。上記の緯度・経度情報の場合は、図９の撮影場所情報登録内容より「会社」の撮影場所登録情報が取得される。
【００５５】
本実施例では、メモリカード内の１０枚の画像データから、以下のような撮影場所情報が読み出された例を用いる。（ＩＤ番号（メモリカード内の通し番号）と緯度・経度、撮影場所情報）
００１，Ｅ，１３９，４１，０７００，Ｎ，３５，３３，５０００，”東京都ＡＡ区ＢＢ３丁目：会社”
００２，Ｅ，１３９，４１，０６００，Ｎ，３５，３３，４６００，”東京都ＡＡ区ＢＢ３丁目：会社”
００３，Ｗ，１１８，２４，１４００，Ｎ，３４，０４，１８００，”Ｕｎｉｔｅｄ  Ｓｔａｔｅｓ”
００４，Ｅ，１３９，４０，１２００，Ｎ，３５，３５，３８００，”東京都ＡＡ区ＣＣ３丁目”
００５，Ｅ，１３９，３８，３９００，Ｎ，３５，３５，３４００，”神奈川県ＦＦ市ＧＧ区ＨＨ３丁目：自宅”
００６，Ｅ，１３９，３８，３８００，Ｎ，３５，３５，３５００，” 神奈川県ＦＦ市ＧＧ区ＨＨ３丁目：自宅”
００７，Ｅ，１３９，４０，１５００，Ｎ，３５，３５，３８００，”東京都ＡＡ区ＣＣ２丁目”
００８，Ｅ，１３９，４６，１２００，Ｎ，３５，４０，４１００，”東京都ＤＤ区ＥＥ１丁目”
００９，Ｅ，１３９，３８，２０００，Ｎ，３５，２７，１１００，”神奈川県ＩＩ市ＪＪ区ＫＫ２丁目”
０１２，Ｅ，１３９，４１，１０００，Ｎ，３５，３３，５２００，”東京都ＡＡ区ＢＢ３丁目：会社”
位置情報検索部３０８は、読み出した撮影場所情報を用い、メモリカード内の画像データを撮影場所ごとにグループ化を行う（Ｓ７０３）。このときの、グループ化する際の粒度は、都道府県（国外は国レベル）とする。この分類粒度は、製品出荷仕向けによって変更することができ、例えば、日本向け製品では都道府県（国外は国レベル）、米国向け製品では州（国外は国レベル）とすることが可能である。
【００５６】
位置情報検索部３０８は、上記のようにグループ化した検索結果を液晶パネル４０６に表示する（Ｓ７０４）。上記１０枚の画像データの場合は、図１０（ａ）のように撮影場所：「東京都」「Ｕｎｉｔｅｄ  Ｓｔａｔｅｓ」「神奈川県」「Ｆｒａｎｃｅ」の４つのグループに分類され、グループごとに絞り込まれた枚数を表示する。また、グループごとに、それぞれを代表する（ＩＤ番号の小さい画像）画像データを表示する。
【００５７】
上記の検索結果表示画面（図１０（ａ））において、選択決定ボタン４０２の決定ボタンを指示する（Ｓ７０５）と、検索結果の選択が行われていないため、表示された検索結果による絞り込みを行わずに、絞り込み検索処理を終了する。
【００５８】
上記の検索結果表示画面（図１０（ａ））において、選択決定ボタン４０２の上下ボタンを指示する（Ｓ７０６）ことで、検索結果の選択を行うことができる（Ｓ７０７）。  例えば、下ボタンを指示すると、図１０（ｂ）のように撮影場所：「東京都」が選択された状態になる。
【００５９】
上記の検索結果選択画面（図１０（ｂ））において、選択決定ボタン４０２の決定ボタンを指示する（Ｓ７０５）と、検索結果の選択が行われているため、選択されたグループに該当する画像で絞り込みを行うことができる（Ｓ７１０）。その後の操作では、上記で絞り込まれた画像のみが操作対象となり、例えば、メニューボタン４０７により全画像印刷モードが選択されると、絞り込まれた画像の印刷を行うことができる。
【００６０】
また、上記の検索結果選択画面（図１０（ｂ））において、選択決定ボタン４０２の左右ボタンを指示する（Ｓ７０８）ことで、選択されたグループに該当する画像において、グループ化する際の粒度を粗く／細かく変えてさらに絞り込みを行うことができる（Ｓ７０９）。例えば、右ボタンを指示すると、「東京都」に分類された画像データを、分類する際の粒度を「市町村区」レベルにし、さらにグループ化を行う（Ｓ７０３）。その結果、図１０（ｃ）のように、撮影場所：「ＡＡ区」「ＤＤ区」の２つのグループにさらに分類され、グループごとに絞り込まれた枚数とともに表示される（Ｓ７０４）。
【００６１】
また、上記の検索結果表示画面（図１０（ｃ））においても、上記と同様に、選択決定ボタン４０２の上下ボタンで検索結果の選択を、左右ボタンで検索結果のさらなる絞り込みを行うことができる。
【００６２】
また、撮影場所情報登録部３１０から緯度・経度情報に対応付けて登録されている撮影場所情報が取得された画像データが存在する場合は、第１回目の絞り込み検索において、登録された撮影情報の内容で分類することも可能である。上記の画像データにおいて、絞り込み検索ボタン４１０が指示された場合、図１０（ｄ）のように「会社」「自宅」といった分類でのグループ化も行われる。
【００６３】
また、画像データに位置情報が存在しない場合、絞り込み検索ボタン４１０が指示されると、液晶パネル４０６に「この画像にはＧＰＳ位置情報が存在しません」のメッセージを表示する（Ｓ７１１）。
【図面の簡単な説明】
【００６４】
【図１】本発明の一実施形態を示すプリンタの一例を示す図である。
【図２】本発明の一実施形態を示すプリンタにおける構成を説明するブロック図である。
【図３】図２に示したプリンタにおけるデータ処理構成を示すブロック図である。
【図４】図１に示したプリンタの操作パネルの詳細構成を説明する平面図である。
【図５】本発明に係るプリンタの液晶パネルによる表示の一例を示す図である。
【図６】本発明に係るプリンタにおけるデータ処理手順の一例を示すフローチャートである。
【図７】本発明に係るプリンタにおけるデータ処理手順の一例を示すフローチャートである。
【図８】本発明に係るプリンタの液晶パネルによる表示の一例を示す図である。
【図９】本発明に係るプリンタにおける撮影場所登録情報の一例を示す図である。
【図１０】本発明に係るプリンタの液晶パネルによる表示の一例を示す図である。
【符号の説明】
【００６５】
１００  ダイレクトプリンタ
１０１  メモリカードスロット
１０２  操作パネル
１０３  液晶パネル
【図１】
2006142505.tif 000003
【図２】
2006142505.tif 000004
【図３】
2006142505.tif 000005
【図４】
2006142505.tif 000006
【図５】
2006142505.tif 000007
【図６】
2006142505.tif 000008
【図７】
2006142505.tif 000009
【図８】
2006142505.tif 000010
【図９】
2006142505.tif 000011
【図１０】
2006142505.tif 000012